(57)【要約】      （修正有）【課題】興趣を向上させることができる包装用箱を提供する。【解決手段】内箱２は、有底で上方が開放され、外箱３は、有頂で下方が開放され、内箱の外周面２０ｃ所定箇所には、鉛直上下方向に折り曲げ可能でキャラクタ等が印刷された突出部２０ｄが設けられ、内箱と、外箱と、を組み合わせるにあたって、内箱の上方を閉止するように外箱内に内箱を収納させ、外箱内に内箱を収納させると、突出部は、外箱の内周面によって、窓３０ｄからの飛び出しが阻害され、外箱内に内箱を収納させた状態で、外箱を鉛直上向きにスライド動作させると、突出部は、窓の縁部３０ｄ１に引っ掛かり、鉛直上向きに折り曲げられることによって、窓から飛び出す。【選択図】図３
0003223961.tif 000002
【実用新案登録請求の範囲】
【請求項１】
第１箱体と、第２箱体と、を組み合わせることによって形成された包装用箱であって、
前記第１箱体の外周面所定箇所には、折り曲げ可能な突出部が設けられ、
前記第２箱体には、所定箇所に窓が開口され、
前記第１箱体と、前記第２箱体と、を組み合わせた際、前記突出部は、前記窓から飛び出さず、
前記第１箱体と、前記第２箱体と、を組み合わせた状態で、前記第１箱体又は前記第２箱体を所定動作させると、前記突出部は、前記窓から飛び出してなる包装用箱。
【請求項２】
前記第１箱体は、有底で上方が開放された内箱からなり、
前記第２箱体は、有頂で下方が開放された外箱からなり、
前記第１箱体の外周面所定箇所には、鉛直上下方向に折り曲げ可能な前記突出部が設けられ、
前記第１箱体と、前記第２箱体と、を組み合わせるにあたって、前記第１箱体の上方を閉止するように前記第２箱体内に前記第１箱体を収納させ、
前記第２箱体内に前記第１箱体を収納させると、前記突出部は、前記第２箱体の内周面によって、前記窓からの飛び出しが阻害され、
前記第２箱体内に前記第１箱体を収納させた状態で、前記第２箱体を鉛直上向きにスライド動作させると、前記突出部は、前記窓の縁部に引っ掛かり、鉛直上向きに折り曲げられることによって、前記窓から飛び出してなる請求項１に記載の包装用箱。
【請求項３】
前記第１箱体は、内箱からなり、
前記第２箱体は、有底で上方が開放された外箱からなり、
前記第１箱体の外周面所定箇所には、周方向に折り曲げ可能な前記突出部が設けられ、
前記第１箱体と、前記第２箱体と、を組み合わせるにあたって、前記第１箱体を前記第２箱体内に収納させ、
前記第１箱体を前記第２箱体内に収納させると、前記突出部は、前記第２箱体の内周面にて、周方向に折り曲げられることによって、前記窓からの飛び出しが阻害され、
前記第１箱体を前記第２箱体内に収納させた状態で、前記第１箱体を周方向に回転動作させると、前記突出部は、前記第２箱体の内周面による前記周方向への折り曲げから解放され、もって、前記窓から飛び出してなる請求項１に記載の包装用箱。
【考案の詳細な説明】
【技術分野】
【０００１】
本考案は、包装用箱に関する。
【背景技術】
【０００２】
従来の包装用箱として、例えば、特許文献１〜３に記載のようなものが知られている。特許文献１に記載の包装用箱は、箱体の胴部を押し下げると、箱体の胴部の中央部が外方に向かって蛇腹状に広がるというものである。そして、特許文献２，３に記載の包装用箱は、内箱を外箱から引き出す方向にスライドさせるとフラップが開き、内箱を外箱内に押し込むとフラップが閉じるというものである。
【先行技術文献】
【特許文献】
【０００３】
【特許文献１】実開昭４９−０４３３３９号公報
【特許文献２】意匠登録第１１６３８１０号公報
【特許文献３】意匠登録第１１６３８１１号公報
【考案の概要】
【考案が解決しようとする課題】
【０００４】
しかしながら、上記のような包装用箱は、興趣に欠けるという問題があった。
【０００５】
そこで、本考案は、上記問題に鑑み、興趣を向上させることができる包装用箱を提供することを目的としている。
【課題を解決するための手段】
【０００６】
上記本考案の目的は、以下の手段によって達成される。なお、括弧内は、後述する実施形態の参照符号を付したものであるが、本考案はこれに限定されるものではない。
【０００７】
請求項１の包装用箱によれば、第１箱体（内箱２，２Ａ，２Ｂ）と、第２箱体（外箱３，３Ａ，３Ｂ）と、を組み合わせることによって形成された包装用箱（１，１Ａ，１Ｂ）であって、
前記第１箱体（内箱２，２Ａ，２Ｂ）の外周面（２０ｃ，２０Ａｃ，２０Ｂ１ｃ）所定箇所には、折り曲げ可能な突出部（２０ｄ，２０Ａｄ，２０Ｂ１ｄ）が設けられ、
前記第２箱体（外箱３，３Ａ，３Ｂ）には、所定箇所に窓（３０ｄ，３０Ａｄ，３０Ｂｄ）が開口され、
前記第１箱体（内箱２，２Ａ，２Ｂ）と、前記第２箱体（外箱３，３Ａ，３Ｂ）と、を組み合わせた際、前記突出部（２０ｄ，２０Ａｄ，２０Ｂ１ｄ）は、前記窓（３０ｄ，３０Ａｄ，３０Ｂｄ）から飛び出さず、
前記第１箱体（内箱２，２Ａ，２Ｂ）と、前記第２箱体（外箱３，３Ａ，３Ｂ）と、を組み合わせた状態で、前記第１箱体（内箱２，２Ａ，２Ｂ）又は前記第２箱体（外箱３，３Ａ，３Ｂ）を所定動作させると、前記突出部（２０ｄ，２０Ａｄ，２０Ｂ１ｄ）は、前記窓（３０ｄ，３０Ａｄ，３０Ｂｄ）から飛び出してなることを特徴としている。
【０００８】
また、請求項２の考案によれば、上記請求項１に記載の包装用箱（１，１Ａ）において、
前記第１箱体（内箱２，２Ａ）は、有底で上方が開放された内箱（２，２Ａ）からなり、
前記第２箱体（外箱３，３Ａ）は、有頂で下方が開放された外箱（３，３Ａ）からなり、
前記第１箱体（内箱２，２Ａ）の外周面（２０ｃ，２０Ａｃ）所定箇所には、鉛直上下方向（矢印Ｙ１方向）に折り曲げ可能な前記突出部（２０ｄ，２０Ａｄ）が設けられ、
前記第１箱体（内箱２，２Ａ）と、前記第２箱体（外箱３，３Ａ）と、を組み合わせるにあたって、前記第１箱体（内箱２，２Ａ）の上方を閉止するように前記第２箱体（外箱３，３Ａ）内に前記第１箱体（内箱２，２Ａ）を収納させ、
前記第２箱体（外箱３，３Ａ）内に前記第１箱体（内箱２，２Ａ）を収納させると、前記突出部（２０ｄ，２０Ａｄ）は、前記第２箱体（外箱３，３Ａ）の内周面（３０ｅ）によって、前記窓（３０ｄ，３０Ａｄ）からの飛び出しが阻害され、
前記第２箱体（外箱３，３Ａ）内に前記第１箱体（内箱２，２Ａ）を収納させた状態で、前記第２箱体（外箱３，３Ａ）を鉛直上向き（矢印Ｙ２，矢印Ｙ１０方向）にスライド動作させると、前記突出部（２０ｄ，２０Ａｄ）は、前記窓（３０ｄ，３０Ａｄ）の縁部（３０ｄ１，３０Ａｄ１）に引っ掛かり、鉛直上向きに折り曲げられることによって、前記窓（３０ｄ，３０Ａｄ）から飛び出してなることを特徴としている。
【０００９】
一方、請求項３の考案によれば、上記請求項１に記載の包装用箱（１Ｂ）において、
前記第１箱体（内箱２Ｂ）は、内箱（２Ｂ）からなり、
前記第２箱体（外箱３Ｂ）は、有底で上方が開放された外箱（３Ｂ）からなり、
前記第１箱体（内箱２Ｂ）の外周面（２０Ｂ１ｃ）所定箇所には、周方向（矢印Ｙ２０方向）に折り曲げ可能な前記突出部（２０Ｂ１ｄ）が設けられ、
前記第１箱体（内箱２Ｂ）と、前記第２箱体（外箱３Ｂ）と、を組み合わせるにあたって、前記第１箱体（内箱２Ｂ）を前記第２箱体（外箱３Ｂ）内に収納させ、
前記第１箱体（内箱２Ｂ）を前記第２箱体（外箱３Ｂ）内に収納させると、前記突出部（２０Ｂ１ｄ）は、前記第２箱体（外箱３Ｂ）の内周面（３０Ｂｅ）にて、周方向（矢印Ｙ２０方向）に折り曲げられることによって、前記窓（３０Ｂｄ）からの飛び出しが阻害され、
前記第１箱体（内箱２Ｂ）を前記第２箱体（外箱３Ｂ）内に収納させた状態で、前記第１箱体（内箱２Ｂ）を周方向（矢印Ｙ２２，Ｙ２３方向）に回転動作させると、前記突出部（２０Ｂ１ｄ）は、前記第２箱体（外箱３Ｂ）の内周面（３０Ｂｅ）による前記周方向（矢印Ｙ２２，Ｙ２３方向）への折り曲げから解放され、もって、前記窓（３０Ｂｄ）から飛び出してなることを特徴としている。
【考案の効果】
【００１０】
次に、本考案の効果について、図面の参照符号を付して説明する。なお、括弧内は、後述する実施形態の参照符号を付したものであるが、本考案はこれに限定されるものではない。
【００１１】
請求項１の考案によれば、第１箱体（内箱２，２Ａ，２Ｂ）と、第２箱体（外箱３，３Ａ，３Ｂ）と、を組み合わせた際、突出部（２０ｄ，２０Ａｄ，２０Ｂ１ｄ）は、窓（３０ｄ，３０Ａｄ，３０Ｂｄ）から飛び出さない。そして、第１箱体（内箱２，２Ａ，２Ｂ）と、第２箱体（外箱３，３Ａ，３Ｂ）と、を組み合わせた状態で、第１箱体（内箱２，２Ａ，２Ｂ）又は第２箱体（外箱３，３Ａ，３Ｂ）を所定動作させると、突出部（２０ｄ，２０Ａｄ，２０Ｂ１ｄ）は、窓（３０ｄ，３０Ａｄ，３０Ｂｄ）から飛び出すこととなる。
【００１２】
しかして、本考案によれば、所定動作をさせるだけで、窓（３０ｄ，３０Ａｄ，３０Ｂｄ）から突出部（２０ｄ，２０Ａｄ，２０Ｂ１ｄ）が飛び出ることとなるから、消費者に意外性を与えることができ、もって、興趣を向上させることができる。
【００１３】
なお、具体的な構成としては、請求項２、又は、請求項３の構成が好ましい。
【図面の簡単な説明】
【００１４】
【図１】本考案の一実施形態に係る包装用箱の分解斜視図である。
【図２】本考案の一実施形態に係る包装用箱の斜視図である。
【図３】同実施形態に係る包装用箱の外箱をスライドさせた状態を示す斜視図である。
【図４】図２に示すＡ−Ａ線断面図である。
【図５】（ａ）は他の実施形態に係る包装用箱の正面図、（ｂ）は（ａ）に示す包装用箱の外箱をスライドさせた状態を示す正面図である。
【図６】他の実施形態に係る包装用箱の分解斜視図である。
【図７】（ａ）は他の実施形態に係る包装用箱の斜視図、（ｂ）は（ａ）に示すＢ−Ｂ線断面図である。
【図８】（ａ）は他の実施形態に係る把持部本体を周方向に回転動作させた状態を示す包装用箱の斜視図、（ｂ）は（ａ）に示す状態からさらに把持部本体を周方向に回転動作させた状態を示す包装用箱の斜視図である。
【考案を実施するための形態】
【００１５】
以下、本考案の一実施形態を、図面を参照して具体的に説明する。なお、以下の説明において、上下左右の方向を示す場合は、図示正面から見た場合の上下左右をいうものとする。
【００１６】
図１に示す本実施形態に係る包装用箱１は、内箱２と外箱３とで構成されている。この内箱２は、紙または合成樹脂製のシートを立体的に組み立てることで形成されてなるもので、図１に示すように、六角形状に形成された本体２０と、本体２０の上面２０ａに一体的に設けられている複数の折り曲げ片２１と、で構成されている。この本体２０は、図４に示すように、下面２０ｂが有底で、上面２０ａが開放された中空状に形成されている。そして、図１及び図４に示すように、この本体２０の外周面２０ｃには、中央部やや上面２０ａ側に、周方向に沿って、所定間隔置きに、複数の突出部２０ｄ（図示では、３個）が設けられている。この突出部２０ｄは、図１に示すように、本体２０の外周面２０ｃを切り欠くことによって、半楕円状に形成され、折り曲げ線２０ｄ１を基点として、鉛直上下方向（矢印Ｙ１参照）に折り曲げられるようになっている。なお、この突出部２０ｄは、図１の実線部分に示すように、初期位置が、鉛直上向き方向へ僅かながら折り曲がった位置となっている。また、この突出部２０ｄには、図１に示すように、キャラクタＣＨ（図示では、お化けのキャラクタ）が印刷されている。
【００１７】
ところで、上記のように形成される本体２０内には、図示はしないがお菓子などが収納されるようになっている。
【００１８】
一方、折り曲げ片２１は、図１に示すように、六角形状に形成された本体２０の上面２０ａの辺それぞれに、連なって設けられており、略三角状に形成されている。そして、この折り曲げ片２１は、本体２０の上面２０ａを基点として、本体２０の上面２０ａを覆うように、内方向に折り曲げられるようになっている。
【００１９】
外箱３は、紙または合成樹脂製のシートを立体的に組み立てることで形成されてなるもので、図１に示すように、六角柱状に形成された本体３０を有している。この本体３０は、図４に示すように、上面３０ａが閉止された有頂で、下面３０ｂが開放された中空状に形成されている。そして、図１及び図４に示すように、この本体３０の外周面３０ｃには、下面３０ｂ側に、周方向に沿って、所定間隔置きに、複数の窓３０ｄ（図示では、３個）が設けられている。この窓３０ｄは、内外方向に貫通して設けられており、図３に示すように、突出部２０ｄが窓３０ｄから飛び出すことが可能な程度の幅に設定されている。
【００２０】
かくして、上記のように構成される内箱２と外箱３を組み合わせて、包装用箱１を形成するにあたっては、図１に示すように、内箱２の上方（本体２０の上面２０ａ）を閉止するように、外箱３内に内箱２を収納するようにする。これにより、図２及び図４に示すように、内箱２の本体２０の外周面２０ｃが、外箱３の本体３０の外周面３０ｃにて略覆われた状態で、外箱３内に内箱２が収納されることとなる。この際、図４に示すように、内箱２の外周面２０ｃに設けられている突出部２０ｄは、外箱３の内周面３０ｅにて、鉛直上下方向（図１に示す矢印Ｙ１参照）への折り曲げが阻害されることとなる。
【００２１】
かくして、この状態で、図２に示すように、外箱３を、鉛直上向き方向（矢印Ｙ２方向）にスライド動作させると、図３及び図４に示すように、外箱３に設けられている窓３０ｄの縁部３０ｄ１に、内箱２に設けられている突出部２０ｄが引っ掛かることとなる。すなわち、突出部２０ｄは、外箱３の内周面３０ｅによる鉛直上下方向（図１に示す矢印Ｙ１参照）への折り曲げが阻害されている。しかしながら、外箱３のスライド動作によって、窓３０ｄが近付いてくると、鉛直上下方向への折り曲げを阻害している外箱３の内周面３０ｅから解放されることとなる。これにより、突出部２０ｄは、初期位置（図１に示す実線部分参照）に戻ろうとし、鉛直上向き方向へ僅かながら折り曲がることとなる。それゆえ、外箱３に設けられている窓３０ｄの縁部３０ｄ１に、内箱２に設けられている突出部２０ｄが引っ掛かることとなる。
【００２２】
かくして、この状態で、さらに鉛直上向き方向（図２に示す矢印Ｙ２方向）に、外箱３をスライド動作させれば、窓３０ｄの縁部３０ｄ１によって、突出部２０ｄが鉛直上向き方向（図４に示す矢印Ｙ３参照）に折り曲げられることとなる。これにより、図３に示すように、キャラクタＣＨが印刷された突出部２０ｄが窓３０ｄから飛び出ることとなる。
【００２３】
しかして、このようにすれば、消費者に意外性を与えることができ、もって、興趣を向上させることができる。すなわち、最初は、図２に示すように、キャラクタＣＨが印刷された突出部２０ｄが窓３０ｄから飛び出ないように、外箱３内に内箱２を収納しておく。そしてこの状態で、図２に示すように、外箱３を、鉛直上向き方向にスライド動作させれば、図３に示すように、キャラクタＣＨが印刷された突出部２０ｄが窓３０ｄから飛び出ることとなる。これにより、簡単なスライド動作をさせるだけで、窓３０ｄからキャラクタＣＨが印刷された突出部２０ｄが飛び出ることとなるから、消費者に意外性を与えることができ、もって、興趣を向上させることができる。
【００２４】
なお、本実施形態において示した形状等はあくまで一例であり、実用新案登録請求の範囲内において、種々の変形・変更が可能である。すなわち、内箱２と外箱３で構成される包装用箱１は、上記説明した形状に限定されず、どのような形状でも良い。例えば、図５に示すような犬を模した包装用箱１Ａにも適用可能である。この包装用箱１Ａは、図５に示すように、犬の胴体を模した正面視矩形状の内箱２Ａと、犬の顔を模した正面視矩形状の外箱３Ａと、で構成されている。この内箱２Ａは、紙または合成樹脂製のシートを立体的に組み立てることで、有底で上方が開放された形状に形成されている。そして、図５（ｂ）に示すように、この内箱２Ａの本体２０Ａの外周面２０Ａｃには、犬の舌を模した突出部２０Ａｄが設けられている。この突出部２０Ａｄは、上述した実施形態と同様、本体２０Ａの外周面２０Ａｃを切り欠くことによって形成され、折り曲げ線２０Ａｄ１を基点として、鉛直上下方向に折り曲げられるようになっている。そして、この突出部２０ｄは、上述した実施形態と同様、初期位置が、鉛直上向き方向へ僅かながら折り曲がった位置となっている。なお、この本体２０Ａ内には、図示はしないがお菓子などが収納されるようになっている。
【００２５】
一方、外箱３Ａは、紙または合成樹脂製のシートを立体的に組み立てることで、有頂で下方が開放された形状に形成されている。そして、図５に示すように、外箱３Ａの本体３０Ａの外周面３０Ａｃには、犬の口を模した窓３０Ａｄが設けられている。この窓３０Ａｄは、内外方向に貫通して設けられており、図５（ｂ）に示すように、突出部２０Ａｄが窓３０Ａｄから飛び出すことが可能な程度の幅に設定されている。
【００２６】
かくして、上記のように構成される内箱２Ａと外箱３Ａを組み合わせて、包装用箱１Ａを形成するにあたっては、図５（ａ）に示すように、内箱２Ａの上方を閉止するように、外箱３Ａ内に内箱２Ａを収納するようにする。これにより、内箱２Ａの本体２０Ａの外周面２０Ａｃが、外箱３Ａの本体３０Ａの外周面３０Ａｃにて略覆われた状態で、外箱３Ａ内に内箱２Ａが収納されることとなる。この際、上述した実施形態と同様、内箱２Ａの外周面２０Ａｃに設けられている突出部２０Ａｄは、外箱３Ａの内周面にて、鉛直上下方向への折り曲げが阻害されることとなる。
【００２７】
かくして、この状態で、図５（ａ）に示すように、外箱３Ａを、鉛直上向き方向（矢印Ｙ１０方向）にスライド動作させると、外箱３Ａに設けられている窓３０Ａｄの縁部３０Ａｄ１に、内箱２Ａに設けられている突出部２０Ａｄが引っ掛かることとなる。すなわち、上述した実施形態と同様、外箱３Ａのスライド動作によって、窓３０Ａｄが近付いてくると、突出部２０Ａｄは、外箱３Ａの内周面から解放され、もって、初期位置に戻ろうとし、鉛直上向き方向へ僅かながら折り曲がることとなる。それゆえ、外箱３Ａに設けられている窓３０Ａｄの縁部３０Ａｄ１に、内箱２Ａに設けられている突出部２０Ａｄが引っ掛かることとなる。
【００２８】
かくして、この状態で、さらに鉛直上向き方向（図５（ａ）に示す矢印Ｙ１０方向）に、外箱３Ａをスライド動作させれば、窓３０Ａｄの縁部３０Ａｄ１によって、突出部２０Ａｄが鉛直上向き方向に折り曲げられることとなる。これにより、図５（ｂ）に示すように、犬の舌を模した突出部２０Ａｄが、犬の口を模した窓３０Ａｄから飛び出ることとなる。
【００２９】
しかして、このようにしても、消費者に意外性を与えることができ、もって、興趣を向上させることができる。
【００３０】
また一方、図６〜図８に示すような包装用箱１Ｂにも適用可能である。この包装用箱１Ｂは、内箱２Ｂと、外箱３Ｂと、で構成されている。この内箱２Ｂは、紙または合成樹脂製のシートを立体的に組み立てることで形成されてなるもので、円柱状に形成された本体２０Ｂと、把持部２１Ｂと、で構成されている。この本体２０Ｂは、図７（ｂ）に示すように、断面視凹形状の第１本体２０Ｂ１と、この第１本体２０Ｂ１内に載置されている断面視凹形状の第２本体２０Ｂ２と、で構成されている。この第１本体２０Ｂ１は、図７（ｂ）に示すように、下面２０Ｂ１ａ及び上面２０Ｂ１ｂ共に開放された円筒状に形成されている。そして、図７（ｂ）に示すように、この第１本体２０Ｂ１の上面２０Ｂ１ｂ側には、上面２０Ｂ１ｂ側を閉止するように、把持部２１Ｂが取り付け固定されている。そしてさらに、図６及び図７（ｂ）に示すように、第１本体２０Ｂ１の外周面２０Ｂ１ｃには、中央部やや上面２０Ｂ１ｂ側に、周方向に沿って、所定間隔置きに、複数の突出部２０Ｂ１ｄ（図示では、４個）が設けられている。この突出部２０Ｂ１ｄは、シール等で形成されてなるもので、図６に示すように、周方向（矢印Ｙ２０方向）に折り曲げられるようになっている。なお、この突出部２０Ｂ１ｄは、図６の実線部分に示すように、初期位置が、第１本体２０Ｂ１の外周面２０Ｂ１ｃに対して直交する方向に起立した位置となっている。また、この突出部２０Ｂ１ｄには、図６に示すように、キャラクタＣＨＢ（図示では、お化けのキャラクタ）が印刷されている。
【００３１】
一方、第２本体２０Ｂ２は、図７（ｂ）に示すように、下面２０Ｂ２ａが閉止された有底で、上面２０Ｂ２ｂが開放された中空状に形成されている。そして、この第２本体２０Ｂ２は、図７（ｂ）に示すように、第２本体２０Ｂ２の外周面２０Ｂ２ｃが完全に第１本体２０Ｂ１の外周面２０Ｂ１ｃに覆われるように、第１本体２０Ｂ１内に載置されている。なお、この第２本体２０Ｂ２内には、図示はしないがお菓子などが収納されるようになっている。
【００３２】
他方、把持部２１Ｂは、図６及び図７（ｂ）に示すように、十字架状の把持部本体２１Ｂａと、この把持部本体２１Ｂａの下部に一体的に設けられている円形状の閉止部２１Ｂｂと、で構成されている。この閉止部２１Ｂｂは、図６及び図７（ｂ）に示すように、薄板円形状に形成されており、第１本体２０Ｂ１の上面２０Ｂ１ｂ側を閉止するように、第１本体２０Ｂ１に取付け固定されている。これにより、把持部本体２１Ｂａを消費者が把持し、所定の動作をさせれば、それに合わせて第１本体２０Ｂ１も所定の動作をすることとなる。
【００３３】
外箱３Ｂは、紙または合成樹脂製のシートを立体的に組み立てることで形成されてなるもので、図６に示すように、六角柱状に形成された本体３０Ｂと、本体３０Ｂの上面３０ａの一端に連なって設けられている蓋部３１Ｂと、で構成されている。この本体３０Ｂは、図７（ｂ）に示すように、下面３０Ｂａが閉止された有底で、上面３０Ｂｂが開放された中空状に形成されている。そして、図６に示すように、この本体３０Ｂの外周面３０Ｂｃには、上面３０Ｂｂ側に、周方向に沿って、所定間隔置きに、複数の窓３０Ｂｄ（図示では、３個）が設けられている。この窓３０Ｂｄは、内外方向に貫通して設けられており、図８に示すように、突出部２０Ｂ１ｄが窓３０Ｂｄから飛び出すことが可能な程度の幅に設定されている。
【００３４】
一方、蓋部３１Ｂは、図７に示すように、断面視矩形状に形成されており、図６に示すように、中央部分に、円形状の貫通孔３１Ｂａが設けられている。そして、図６に示すように、蓋部３１Ｂの一端部３１Ｂｂには、差込片３１Ｂｃが連なって設けられている。そしてさらに、この蓋部３１Ｂの一端部３１Ｂｂには、差込口３１Ｂｄが設けられている。この差込片３１Ｂｃは、図６に示す矢印Ｙ２１方向に蓋部３１Ｂを移動させた際、本体３０Ｂの内周面３０Ｂｅに接触するように差し込まれることとなる。そして、その状態で、差込口３１Ｂｄに、本体３０Ｂの上面３０ａの一端に連なって設けられている差込片３２Ｂが挿入されることによって、本体３０Ｂの上面３０ａが蓋部３１Ｂによって閉止されることとなる。
【００３５】
かくして、上記のように構成される内箱２Ｂと外箱３Ｂを組み合わせて、包装用箱１Ｂを形成するにあたっては、図６に示すように、外箱３Ｂ内に内箱２Ｂを収納するようにする。そして、図６に示す矢印Ｙ２１方向に蓋部３１Ｂを移動させ、本体３０Ｂの内周面３０Ｂｅに接触するように差込片３１Ｂｃを差し込み、差込口３１Ｂｄに、本体３０Ｂの上面３０ａの一端に連なって設けられている差込片３２Ｂを挿入する。これにより、図７（ａ）に示すような包装用箱１Ｂが形成されることとなる。この際、図７（ａ）に示すように、蓋部３１Ｂの貫通孔３１Ｂａから、把持部本体２１Ｂａが突出するように、外箱３Ｂ内に内箱２Ｂが収納されることとなる。またこの際、図７（ｂ）に示すように、内箱２Ｂの外周面２０Ｂ１ｃに設けられている突出部２０Ｂ１ｄは、外箱３Ｂの内周面３０Ｂｅにて、周方向（図６に示す矢印Ｙ２０方向）へ折り曲げられることとなる。
【００３６】
かくして、この状態で、図７（ａ）に示すように、把持部本体２１Ｂａを矢印Ｙ２２方向に回転動作させると、上述したように、第１本体２０Ｂ１も、矢印Ｙ２２方向に回転動作することとなる。これにより、図８（ａ）に示すように、第１本体２０Ｂ１の外周面２０Ｂ１ｃに設けられている突出部２０Ｂ１ｄが、外箱３Ｂの窓３０Ｂｄ側に移動することとなる。この際、図８（ａ）に示すように、突出部２０Ｂ１ｄは、まだ、外箱３Ｂの内周面３０Ｂｅ（図７（ｂ）参照）にて、周方向（図６に示す矢印Ｙ２０方向）へ折り曲げられている。
【００３７】
そして、図８（ａ）に示す状態から、さらに、把持部本体２１Ｂａを矢印Ｙ２３方向に回転動作させると、上述したように、第１本体２０Ｂ１も、矢印Ｙ２３方向に回転動作することとなる。これにより、図８（ｂ）に示すように、突出部２０Ｂ１ｄは、外箱３Ｂの窓３０Ｂｄまで移動し、もって、外箱３Ｂの内周面３０Ｂｅ（図７（ｂ）参照）による周方向への折り曲げから解放されることとなる。それゆえ、この解放によって、突出部２０Ｂ１ｄは、初期位置に戻ることとなるから、図８（ｂ）に示すように、窓３０Ｂｄから飛び出すこととなる。
【００３８】
しかして、このようにしても、消費者に意外性を与えることができ、もって、興趣を向上させることができる。すなわち、最初は、図７（ａ）に示すように、キャラクタＣＨＢが印刷された突出部２０Ｂｄが窓３０Ｂｄから飛び出ないように、外箱３Ｂ内に内箱２Ｂを収納しておく。そしてこの状態で、図７（ａ）及び図８（ａ）に示すように、把持部本体２１Ｂａを周方向に回転動作させれば、図８（ｂ）に示すように、キャラクタＣＨＢが印刷された突出部２０Ｂｄが窓３０Ｂｄから飛び出ることとなる。これにより、簡単な回転動作をさせるだけで、窓３０ＢｄからキャラクタＣＨＢが印刷された突出部２０Ｂｄが飛び出ることとなるから、消費者に意外性を与えることができ、もって、興趣を向上させることができる。
【符号の説明】
【００３９】
１，１Ａ，１Ｂ                包装用箱
２，２Ａ，２Ｂ                内箱（第１箱体）
３，３Ａ，３Ｂ                外箱（第２箱体）
２０ｃ，２０Ａｃ，２０Ｂ１ｃ  外周面
２０ｄ，２０Ａｄ，２０Ｂ１ｄ  突出部
３０ｄ，３０Ａｄ，３０Ｂｄ    窓
３０ｅ，３０Ｂｅ              内周面
【図１】
0003223961.tif 000003
【図２】
0003223961.tif 000004
【図３】
0003223961.tif 000005
【図４】
0003223961.tif 000006
【図５】
0003223961.tif 000007
【図６】
0003223961.tif 000008
【図７】
0003223961.tif 000009
【図８】
0003223961.tif 000010